(57)【特許請求の範囲】
【請求項１】
錠箱のメッキが施されているケース素体は、シリンダー筒又はサムターン筒の後端部が入り込む挿入開口と、単数又は複数の小突起と、この小突起の突出する方向と直交する方向に単数又は複数の係止部分とを有し、一方、同じくメッキが施されかつ前記挿入開口に位置付けるように前記ケース素体の内壁面に固定されるダルマ用受け座は、ダルマ用嵌合孔を有する受け部と、この受け部の一方側対向壁部分から突出する係合突片と、同じく受け部の他方側対向壁部分から突出する位置決め突片とを有し、前記ケース素体にダルマ用受け座を固定する際には、前記係合突片を前記係止部分に係入させると共に、前記位置決め突片を該位置決め突片及びケース素体に設けた位置決め手段を介してケース素体の内壁面に接合させた状態で該位置決め突片をカシメ固定する錠箱のケース素体とダルマ用受け座との組み立て構造。
【請求項２】
請求項１に於いて、カシメ手段の構成は、予めケース素体の内壁面に突設されたピン状の小突起と、受け座の位置決め突片に形成された前記小突起用の小孔であり、前記小突起がカシメられることを特徴とする錠箱のケース素体とダルマ用受け座との組み立て構造。
【請求項３】
請求項１に於いて、位置決め突片は、単数又は複数の小孔を有し、該小孔にケース素体に突設されたピン状の小突起が係合することを特徴とする錠箱のケース素体とダルマ用受け座との組み立て構造。
【発明の詳細な説明】
【技術分野】
【０００１】
本発明は、錠箱のケース素体とダルマ用受け座との組み立て構造に関する。
【背景技術】
【０００２】
特許文献１の図１０には、錠箱のケース素体の一例であるケース身と、このケース身の内壁面に溶接やカシメによって一体的に接合されるダルマ用受け座が開示されている。なお、図１０には、シリンダーユニット、サムターンユニット及び当業者用語のダルマ（駆動体）も開示されている。これらの部材の詳細については割愛する。
【０００３】
また、特許文献２には、横長状の錠本体１をフロント補助板１０の縦長挿通孔１１に通し、フロント補助板１０に設けた上下一対の脚板１３ａ、１３ｂに前記錠本体１の上下一対の突起部９ａ、９ｂを係合させた上で、フロント板１５と前記フロント補助板１０とをカシメ手段により一体的に接合する事項が記載されている。この特許文献２は、上下一対の突起部９ａ、９ｂを有する錠本体１を介してフロント板１５と前記フロント補助板１０とを位置決め固定する構造なので、部品点数が増えるという問題点がある。
【０００４】
ところで、錠箱のケース素体等にはメッキ（ｐｌａｔｉｎｇ）が施される。周知のように、メッキは被処理物（金属板、錠箱等）に化学的、電気化学的な反応によって、金属の析出が行われる処理である。このメッキには、亜鉛メッキ、銀メッキ、ニッケルメッキ、スズメッキ、金メッキ、銀メッキ等種々のものがある。
【０００５】
被処理物の一例として、錠箱を構成するケース素体（ケース身、ケース蓋等）及びダルマ用受け座の内外の壁面に亜鉛メッキを施した場合に於いて、普通一般に前記ケース素体とダルマ用受け座は、それぞれ別個の部品として成形されるので、両者を溶接やカシメによって一体的に接合する必要がある。その場合、例えば溶接手段によってケース素体の内壁面にダルマ用受け座を接合すると、せっかく施した亜鉛メッキ等が剥がれ、その箇所が錆びるという問題点がある。
【０００６】
また、カシメ手段（鋲具、カシメ用突部、カシメ用穴）のみを用いてケース素体の内壁面にダルマ用受け座を固定する場合、単純にダルマ用受け座をケース素体の内壁面に固定することができるものの、正確な位置決めを求めるのが困難である。つまり、カシメ用突部及びカシメ用穴を用いた単純なカシメ手段による部品の組み合わせでは、常に所望する箇所にダルマ用受け座が固定されるとは限らず、いわゆる不良品（バラツキ）が生ずる恐れがある。
【先行技術文献】
【特許文献】
【０００７】
【特許文献１】特開２００２−２６６５３０の図１０
【特許文献２】実公昭６３−４１４９４の第１図
【発明の概要】
【発明が解決しようとする課題】
【０００８】
本発明は、錠箱を構成するケース素体及びダルマ用受け座の内外の壁面にメッキを施した場合に於いて、従来の問題点を解決するために、簡単に位置決めした上でかつ単純にダルマ用受け座をケース素体の内壁面に固定することができることである。
【課題を解決するための手段】
【０００９】
本発明の錠箱のケース素体とダルマ用受け座との組み立て構造は、錠箱のメッキが施されているケース素体は、シリンダー筒又はサムターン筒の後端部が入り込む挿入開口と、単数又は複数の小突起と、この小突起の突出する方向と直交する方向に単数又は複数の係止部分とを有し、一方、同じくメッキが施されかつ前記挿入開口に位置付けるように前記ケース素体の内壁面に固定されるダルマ用受け座は、ダルマ用嵌合孔を有する受け部と、この受け部の一方側対向壁部分から突出する係合突片と、同じく受け部の他方側対向壁部分から突出する位置決め突片とを有し、前記ケース素体にダルマ用受け座を固定する際には、前記係合突片を前記係止部分に係入させると共に、前記位置決め突片を該位置決め突片及びケース素体に設けた位置決め手段を介してケース素体の内壁面に接合させた状態で該位置決め突片をカシメ固定することを特徴とする。
【発明の効果】
【００１０】
（ａ）錠箱を構成するケース素体及びダルマ用受け座の内外の壁面にメッキ（たとえば亜鉛メッキ）を施した場合に於いて、溶接手段を用いないで、断面ハット型形状に形成されたダルマ用受け座の一方の突片をケース素体に対して係合させた状態で他方の突片を位置決めし、かつ、カシメ固定するので、メッキ等が剥がれ、その箇所が錆びるという問題点を解消することができる。また、位置決めした上でかつ単純にダルマ用受け座をケース素体の内壁面に固定することができる。
（ｂ）請求項２に記載の発明は、ケース素体の内壁面に予めピン状の小突起が設けられているので、カシメ作業が容易である。
（ｃ）請求項３に記載の発明は、位置決め突片の単数又は複数の小孔がケース素体に突設されたピン状の小突起が係合するので、位置決めを正確かつ簡単に行うことができる。
【図面の簡単な説明】
【００１１】
【図１】ケース素体にダルマ用受け座２をカシメ固定した状態の正面図。
【図２】図１の２−２線概略断面説明図。
【図３】ケース蓋にダルマ用受け座を固定する前の状態を示す概略説明図。
【図４】ケース蓋１の内壁面から見た正面図。
【図５】ケース蓋１の右側から見た縦断面概略説明図。
【図６】ケース蓋１の左側から見た縦断面概略説明図。
【図７】ダルマ用受け座２の正面図。
【図８】ダルマ用受け座２の左側面図。
【図９】図７のＡ−Ａ線概略断面説明図。
【図１０】ダルマ用受け座をケース素体１に係合する説明図。
【図１１】ダルマ用受け座をケース素体１に位置決めする説明図。
【図１２】ダルマ用受け座をケース素体１にカシメ固定する説明図。
【発明を実施するための最良の形態】
【００１２】
（１）ケース素体１
図１は、錠箱のケース素体１の内壁面１ａにダルマ用受け座２を位置決めした状態で直接該ケース素体１にカシメ固定した状態の正面図である（内壁面から見ている）。図１は亜鉛メッキが全体に施されたケース素体１の一例として「ケース蓋」を示し入るが、ここでのケース素体１には、図示しないケース身も含まれる。したがって、ケース身の内壁面にダルマ用受け座２を置決めした状態で直接該ダルマ用受け座２をケース身にカシメ固定した場合も同様の構成である。
【００１３】
図２は図１の２−２線概略断面説明図である。図２の仮想線で示すように、ケース蓋１の後壁よりの部位に形成された挿入開口（後述）にサムターンユニット（本実施例５０を構成するサムターンシリンダの筒状後端部（サムターン筒）５１が入り込む。なお、ケース素体１がケース身の場合には、図示しないシリンダーユニットのシリンダーの筒状後端部（シリンダー筒）が挿入開口３に入り込む。ここで、「ユニットの筒状後端部」とは、サムターン筒やシリンダー筒の後端部を言う。
【００１４】
図３はケース蓋１にダルマ用受け座２を固定する前の状態を示す概略説明図である。ダルマ用受け座２は挿入開口に位置付けるように前記ケース素体１の内壁面１ａに固定される。
【００１５】
図４はケース蓋１の内壁面から見た正面図である。この図４を参照にしてケース蓋１の構成を説明する。１ａは幅広側壁の内壁面、１ｂは内壁面１ａと直交する底壁、１ｃは内壁面１ａと直交する上壁、１ｄは内壁面１ａと直交する後壁、１ｅは内壁面１ａと直交する前壁である。前記前壁１ｅには、例えば図示しないデッドボルト用の切欠開口１ｆ等が形成されている。
【００１６】
しかして、３はサムターンユニット５０の筒状後端部５１が入り込む挿入開口で、この挿入開口３はサムターン筒の形態に対応して提灯形状に形成されている。シリンダー錠の外筒の場合にも、その後端部に図示しない一対の取付け突起が設けられているので、ケース身の後壁よりの部位に提灯形状の挿入開口が形成されている。
【００１７】
４は単数又は複数の小突起で、本実施例では、例えばケース蓋１の中央部寄りの部位或いは挿入開口３付近に合計３個形成されている。これらの小突起４は、位置決め用の小突起４ａと、カシメ用の小突起４ｂ、４ｂに区別することができる。例えば提灯形状の挿入開口３の右側の弧状縁部付近の中央部に位置する小突起を「位置決め用の小突起４ａ」とし、この小突起４ａの上下に所定間隔を有して位置する小突起を「カシメ用の小突起４ｂ、４ｂ」にすることができる。もちろん、前記カシメ用の小突起４ｂ、４ｂを位置決め用に兼用することもできる。それ故に、位置決め用とカシメ用の両機能を有する小突起４は単数であっても良い。
【００１８】
５は後壁１ｄの挿入開口３付近の部位に形成された単数又は複数の係止部分である。本実施例では、係止部分５は係合孔であり、前述した小突起４の突出する方向と直交する方向に複数個（合計２個）形成されている。
【００１９】
（２）ダルマ用受け座２
次に、図７乃至図９を参照にして横断面ハット型形状のダルマ用受け座２の構成を説明する。図７はダルマ用受け座２の正面図である。ダルマ用受け座２は、図１で示すようにケース素体１の挿入開口３に位置付けるように該ケース素体の内壁面１ａに固定される。
【００２０】
ダルマ用受け座２をケース素体の内壁面１ａに固定する場合には、溶着、カシメ、係着等の手段が考えられるが、本実施例では、ダルマ用受け座２もケース素体１と同様に例えば亜鉛メッキが全体に施されていることから、係着とカシメの両方の手段を採用している。付言すると、溶着手段を採用すると、亜鉛メッキが剥げ、それが起因して錆びるからである。また、カシメ手段のみを採用すると、位置決めが容易でないからである。さらに、係着手段のみを採用すると、ダルマ用受け座２をケース素体１に所望する状態にしっかりと固定することができないからである。
【００２１】
しかして、ダルマ用受け座２は、ダルマ用嵌合孔７を有する受け部６と、この受け部の一方側対向壁部分６ａから突出する係合突片８と、同じく受け部６の他方側対向壁部分６ｂから突出する位置決め突片９とを有する。受け部６は、ダルマ用嵌合孔７を不番の環状部分と、該環状部分の左右端に連設形成された弧状壁部分と、環状部分の上下端の切欠部分とから成る。
【００２２】
したがって、左右の弧状壁部分が前述した「一方側対向壁部分６ａ」と「他方側対向壁部分６ｂ」に相当する。左の係合突片８と右の位置決め突片９は、左右の対向壁部分６ａ、６ｂからそれぞれ羽を広げるように該対向壁部分６ａ、６ｂに直交して延在している。そして、係合突片８の先端部には複数個の係合突部８ａ、８ａが設けられ、一方、位置決め突片９には、ケース素体１の単数又は複数の小突起４に対応するように、本実施例では上下方向に所定間隔を有して合計３個の係合小孔９ａ、９ｂが形成されている。例えばケース蓋１側の小突起４の1つである中央部の小突起４ａを位置決めに用いる場合には、それに対応して中央部の係合小孔９ａが「位置決めに用いられる。
【００２３】
付言すると、本実施例では、位置決め突片９は、単数又は複数の小孔９ａ、９ｂを有し、該小孔にケース素体１に突設されたピン状の小突起４ａ、４ｂが係合する。したがって、またカシメ手段の構成は、ケース素体１の内壁面１ａに突設されたピン状の小突起４ｂ、４ｂと、ダルマ用受け座２の位置決め突片９に形成された前記小突起用の小孔９ｂ、９ｂであり、前記小突起４ｂ、４ｂがカシメられる。
【００２４】
（３）ダルマ用受け座をケース素体１に固定
図１０乃至図１２で示すように、ケース素体１にダルマ用受け座２を固定する際には、ダルマ用受け座２の係合突片８をケース素体１の係止部分５に係入させると共に、位置決め突片９の内面を該位置決め突片及びケース素体に設けた位置決め手段４ａ、９ａを介してケース素体１の内壁面１ａに面接触状態に接合させた状態で該位置決め突片９の小突起用の小孔９ｂ、９ｂに係入したピン状の小突起４ｂ、４ｂをカシメ固定する。
【実施例】
【００２５】
本実施例では、ケース素体１及びダルマ用受け座２に亜鉛メッキを施した例で説明したが、メッキは亜鉛メッキに限定されない。ケース素体１等にメッキが可能であれば、種々のメッキも含まれる。また、位置決め突片９は、単数又は複数の小孔を有し、該小孔にケース素体に突設されたピン状の小突起が係合するが、前記ピン状の小突起の少なくとも一つが位置決めの機能を有すれば十分である。
【産業上の利用可能性】
【００２６】
本発明の錠前や建具の分野で利用される。
【符号の説明】
【００２７】
１…ケース素体、１ａ…内壁面、２…ダルマ用受け座、３…挿入開口、４…小突起、５…係止部分、６…受け部、６ａ…一方側対向壁部分、６ｂ…他方側対向壁部分、７…ダルマ用嵌合孔、８…係合突片、９…位置決め突片、４ａ、９ａ…位置決め手段、４ｂ、９ｂ…カシメ手段。
【図１】
0005506582.tif 000002
【図２】
0005506582.tif 000003
【図３】
0005506582.tif 000004
【図４】
0005506582.tif 000005
【図５】
0005506582.tif 000006
【図６】
0005506582.tif 000007
【図７】
0005506582.tif 000008
【図８】
0005506582.tif 000009
【図９】
0005506582.tif 000010
【図１０】
0005506582.tif 000011
【図１１】
0005506582.tif 000012
【図１２】
0005506582.tif 000013